(57)【要約】【課題】  作業時間が短く且つ低コストとなるポケットシンク取付け構造を提供すること。【解決手段】  本発明のポケットシンク取付け構造は、上方に向かって開口する開口部を有する有底形状を備え、流し台の天板３２に形成されたポケットシンク取付け部３４、３６に取付けられるポケットシンク１４の取付け構造であって、ポケットシンク取付け部が、ポケットシンクの開口部と略等しい寸法形状の取付け開口３４と、取付け開口の周縁から下方に向かって延びる板状の垂下部３６とを備え、垂下部が、ポケットシンクの開口部の内周面に係合しポケットシンクをポケットシンク取付け部に固定する連結部４０を備えている。【選択図】      図８
2005188049.tif 000002
【特許請求の範囲】
【請求項１】
上方に向かって開口する開口部を有する有底形状を備え、流し台の天板に形成されたポケットシンク取付け部に取付けられるポケットシンクの取付け構造であって、
前記ポケットシンク取付け部が、前記ポケットシンクの開口部と略等しい寸法形状の取付け開口と、該取付け開口の周縁から下方に向かって延びる板状の垂下部とを備え、該垂下部が、前記ポケットシンクの開口部の内周面に係合し前記ポケットシンクを前記ポケットシンク取付け部に固定する連結部を備えている、
ことを特徴とするにするポケットシンク取付け構造。
【請求項２】
前記ポケットシンク取付け部の連結部は、前記垂下部を下方に向かって外方に傾斜させることによって形成され、
前記ポケットシンクの内周面のうち前記連結部が係合する部分は、該連結部に対応して下方に向かって外方に傾斜する面を有するように配置されている、
請求項１に記載のポケットシンク取付け構造。
【請求項３】
前記ポケットシンクの開口部および前記ポケットシンク取付け部の取付け開口とが細長い横断面形状を有し、
前記連結部が、前記取付け開口の長辺部に設けられている、
請求項２に記載のポケットシンク取付け構造。
【請求項４】
前記ポケットシンク取付け部の取付け開口を挟んで対向する長辺部が略平行に配置され、
前記ポケットシンクの上端の開口部を挟んで対向する長辺部が、内方に向かって凸状に湾曲し、
前記ポケットシンク取付け部の取付け開口を挟んで対向する長辺部の間隔が、前記ポケットシンクの上端の開口部を挟んで対向する長辺部の間隔より広く設定されている、
請求項３に記載のポケットシンク取付け構造。
【請求項５】
前記ポケットシンクが、上端から外方に向かって延びるフランジ面を備えている、
請求項１ないし４のいずれか１項に記載のポケットシンク取付け構造。
【請求項６】
前記ポケットシンクが、可撓性材料で構成されている、
請求項１ないし５のいずれか１項の記載のポケットシンク取付け構造。
【請求項７】
前記ポケットシンクが、合成樹脂で構成されている、
請求項１ないし６のいずれか１項に記載のポケットシンク取付け構造。
【請求項８】
上方に向かって開口する開口部を有する有底形状を備え、流し台の天板に形成されたポケットシンク取付け部に取付けられるポケットシンクの取付け方法であって、前記ポケットシンク取付け部が、前記ポケットシンクの開口部と略等しい寸法形状の取付け開口と、該取付け開口の周縁から下方に向かって延びる板状の垂下部とを備え、該垂下部が、前記ポケットシンクの開口部の内周面に係合し前記ポケットシンクを前記ポケットシンク取付け部に固定する連結部を備え、前記ポケットシンクは、前記開口部の外周に外方に向かって延びるフランジ面を有し、前記ポケットシンク取付け方法は、
前記ポケットシンクの前記フランジ面または天板側ポケットフランジ接着面に接着剤を塗布する工程と、
前記連結部が前記ポケットシンクの開口部の内周壁に係合するように前記垂下部を前記ポケットシンクの開口部の内周面に当接させて、前記ポケットシンクのフランジ面が前記天板の下面に密着した状態で前記ポケットシンクを前記天板に固定する工程と、
前記接着剤を硬化させる工程と、を備えている、
ことを特徴とするポケットシンク取付け方法。
【発明の詳細な説明】
【技術分野】
【０００１】
本発明は、ポケットシンク取付け構造およびポケットシンク取付け方法に関し、詳細には、流し台の天板に取付けられるポケットシンク取付け構造およびポケットシンク取付け方法に関する。
【背景技術】
【０００２】
図１に示されているように、一般家庭の台所等に設置される流し台のシンク１のデッキ部２または調理台部などの天板部に、洗剤、スポンジ等の小物を収容する小さな収容部となるポケットシンク４が取付けられた構成が知られている。
ポケットシンク４は、上方に開口部６を備えた有底形状を有しており、天板２の一部を切り欠くことによって形成された取付け開口部８に、天板部２の裏側から取付けられる。
【０００３】
ポケットシンク４の取付け工程では、まず、ポケットシンク４が取付けられる天板部（図１の例ではシンク内部のデッキ部）２に、ポケットシンク４の上端の開口部６の寸法形状に対応した形状の取付け開口８を形成する。さらに、取付け開口８の周縁をバーリング加工で略垂直に折り曲げ、取付け開口８の全周に下方（天板裏面方向）に向かって延びる垂下部１０を形成する。
【０００４】
次いで、図２の矢印Ａで示すように、シンク本体と同様の金属材料で形成されたポケットシンク４を、天板部２の裏面から天板部２に取付ける。このとき、天板部２の垂下部１０がポケットシンク４の開口部６の内側に差し込まれる。天板部２の垂下部１０とポケットシンク４の開口部６とは、天板部２の垂下部１０がポケットシンク４の開口部６の内側に差し込まれると、図２に示されているように、垂下部１０がポケットシンク２の開口部６の内周面に当接するように構成されている。
【０００５】
さらに、垂下部１０とポケットシンク２の上端部とが重なった部分で、図２および図３にｘ印で示すように、複数箇所でスポット溶接が行われ、ポケットシンク４を天板部２に固定する。最後に、天板部２とポケットシンク４との接続部分にシリコンコーキング１２による防水加工が施され、取付け作業が完了する。
本発明は、このような先行技術に基づいてなされたものである。
【発明の開示】
【発明が解決しようとする課題】
【０００６】
このような従来技術のポケットシンクの取付け構造には、溶接作業が必要であるため、作業時間が長くなり、さらに、コストが嵩むという問題があった。
【０００７】
本発明はこのような問題に鑑みてなされたものであり、作業時間が短く且つ低コストとなるポケットシンク取付け構造を提供することを目的としている。
【課題を解決するための手段】
【０００８】
本発明によれば、上方に向かって開口する開口部を有する有底形状を備え、流し台の天板に形成されたポケットシンク取付け部に取付けられるポケットシンクの取付け構造であって、前記ポケットシンク取付け部が、前記ポケットシンクの開口部と略等しい寸法形状の取付け開口と、該取付け開口の周縁から下方に向かって延びる板状の垂下部とを備え、該垂下部が、前記ポケットシンクの開口部の内周面に係合し前記ポケットシンクを前記ポケットシンク取付け部に固定する連結部を備えていることを特徴とするにするポケットシンク取付け構造が提供される。
【０００９】
このような構成によれば、垂下部をポケットシンクの開口部の内周面に係合させるという簡単な工程で、ポケットシンクを天板部（流し台）に取付けることが可能となる。
【００１０】
本発明の他の好ましい態様によれば、前記ポケットシンク取付け部の連結部は、前記垂下部を下方に向かって外方に傾斜させることによって形成され、前記ポケットシンクの内周面のうち前記連結部が係合する部分は、該連結部に対応して下方に向かって外方に傾斜する面を有するように配置されている。
このような構成によれば、簡単な加工で、ポケットシンクをポケットシンク取付け部に確実に取付けることができる連結部を構成することができる。
【００１１】
本発明の他の好ましい態様によれば、前記ポケットシンクの開口部および前記ポケットシンク取付け部の取付け開口とが細長い横断面形状を有し、前記連結部が、前記取付け開口の長辺部に設けられている。
このような構成によれば、長さが比較的長い長辺部に連結部が形成されるので、ポケットシンクを効率的にポケットシンク取付け部に取付けることが可能となる。
【００１２】
本発明の他の好ましい態様によれば、前記ポケットシンク取付け部の取付け開口を挟んで対向する長辺部が略平行に配置され、前記ポケットシンクの上端の開口部を挟んで対向する長辺部が内方に向かって凸状に湾曲し、前記ポケットシンク取付け部の取付け開口を挟んで対向する長辺部の間隔が、前記ポケットシンクの上端の開口部を挟んで対向する長辺部の間隔より広く設定されている。
【００１３】
このような構成によれば、ポケットシンク取付け部の長辺部に形成されている連結部が、ポケットシンクの長辺部の内周面を幅方向外方に押圧しながらポケットシンクに係合するので、ポケットシンクがポケットシンク取付け部に確実に固定される。
【００１４】
本発明の他の好ましい態様によれば、前記ポケットシンクが、上端から外方に向かって延びるフランジ面を備えている。
このような構成によれば、ポケットシンクを天板部に取付けたとき、フランジ面が天板部の裏面に当接する関係となるので、フランジ面を天板部への接着面として利用することが可能となる。
【００１５】
本発明の他の好ましい態様によれば、前記ポケットシンクが、可撓性材料で構成されている。
本発明の他の好ましい態様によれば、前記ポケットシンクが、合成樹脂で構成されている。
このような構成によれば、ポケットシンクを射出成形等で形成することができるので、製造コストが低減される。
【００１６】
本発明の他の態様によれば、上方に向かって開口する開口部を有する有底形状を備え、流し台の天板に形成されたポケットシンク取付け部に取付けられるポケットシンクの取付け方法であって、前記ポケットシンク取付け部が、前記ポケットシンクの開口部と略等しい寸法形状の取付け開口と、該取付け開口の周縁から下方に向かって延びる板状の垂下部とを備え、該垂下部が、前記ポケットシンクの開口部の内周面に係合し前記ポケットシンクを前記ポケットシンク取付け部に固定する連結部を備え、前記ポケットシンクは、前記開口部の外周に外方に向かって延びるフランジ面を有し、前記ポケットシンク取付け方法は、前記ポケットシンクの前記フランジ面または天板側ポケットフランジ接着面に接着剤を塗布する工程と、前記連結部が前記ポケットシンクの開口部の内周壁に係合するように前記垂下部を前記ポケットシンクの開口部の内周面に当接させて、前記ポケットシンクのフランジ面が前記天板の下面に密着した状態で前記ポケットシンクを前記天板に固定する工程と、前記接着剤を硬化させる工程と、を備えていることを特徴とするポケットシンク取付け方法が提供される。
【００１７】
このような構成によれば、ポケットシンク取付け部にポケットシンクを天板部に取付けるための連結部が設けられているので、ポケットシンクのフランジ面に接着剤を塗布して、ポケットシンクをポケットシンク取付け部に取付けるという、単純な作業でポケットシンクの取付けが完了する。
更に、ポケットシンクは、連結部によりポケットシンク取付け部に固定されるので、接着剤が硬化するまでの間、ポケットシンクをポケットシンク取付け部に固定しておくための部材が不要となる。
【発明の効果】
【００１８】
本発明によれば、作業時間が短く且つ低コストとなるポケットシンク取付け構造等が提供される。
【発明を実施するための最良の形態】
【００１９】
以下、図面を参照して本発明の好ましい実施形態のポケットシンク取付構造を詳細に説明する。本実施形態で用いられるポケットシンク１４も、図１に示す従来技術のポケットシンク４と同様に、シンク内部のデッキ部または調理台部などの天板部に設けられたポケットシンク取付け部に取付けられるものである。尚、本明細書では、デッキ部、調理台部等のシンク部周辺の水平面を総称して天板部と呼ぶ。
【００２０】
まず、本実施形態のポケットシンク取付け構造で使用されるポケットシンクの構造を説明する。図４は、本実施形態のポケットシンク１４の上方からの斜視図、図５は図４のＶ−Ｖ線に沿った断面図、図６は図４のＶＩ−ＶＩ線に沿った断面図である。
【００２１】
ポケットシンク１４は、上端に上方に向かって開口する開口部１６を有する有底形状を有し、合成樹脂を射出成形することによって一体成型された可撓性を有する部材である。ポケットシンク１４は、両端が円弧状の細長い横断面形状を有する底面１８から略垂直に延びる側壁２０を備えている。底面１８には、水抜き用のホース接続部２２が設けられている。
【００２２】
ポケットシンク１４の上端部２４には、開口部１６の上縁から外方に向かって水平に延びるフランジ面２６が、全周に亘って形成されている。さらに、ポケットシンク１４は、上端部２４の長手方向に延びる長辺部２４ａ、２４ｂが内方に向かって凸状（円弧状）に湾曲するように構成されている。従って、ポケットシンク１４の開口部１６の上端では、中央部の幅Ｗ１より両端部の幅Ｗ２が広くなっている。
【００２３】
また、長辺部２４ａ、２４ｂの中央領域２８では、上端部２４の内周面に、天板側連結部と係合するポケット側連結部３０が形成されている。このポケット側連結部３０は、図５に示されているように、内方に向かって凸状となった断面形状を有し、下側に下方に向かって外方に傾斜した傾斜面を有している。
上述したように、上端部２４の長手方向に延びる長辺部２４ａ、２４ｂが内方に向かって凸状に湾曲するように構成されているので、長辺部２４ａ、２４ｂに形成されている両側のポケット側連結部３０も内方に向かって凸状に湾曲する形状となる。
【００２４】
次に、本実施形態のポケットシンク取付け構造において天板部に形成されるポケットシンク取付け部について説明する。図７は、本実施形態の天板部のポケットシンク取付け部が形成されている部分を裏返した状態の斜視図である。
図７に示されているように、ポケットシンク取付け部は、天板部３２に形成され、両端が円弧状の細長い開口（取付け開口）３４を備えている。この取付け開口３４は、ポケットシンク１４の開口部１６と略等しい寸法形状を有している。
【００２５】
取付け開口３４の周縁には、バーリングにより略直角に折り曲げ加工され、下方（図７では上方）即ち裏面側に向かって延びる一定高さ（幅）の板状の垂下部３６が形成されている。この垂下部３６は、ポケットシンク取付け部を構成するものてあり、外周面が、ポケットシンク１４の上端部２４の内周面に当接するように構成されている。
【００２６】
取付け開口３４の長辺部３４ａ、３４ｂは略平行に配置されている。また、垂下部３６は、取付け開口３４の長辺部３４ａ、３４ｂに対応する中央領域３８が、天板の裏面との角度が鋭角となるように下方に向かって外方に傾斜する天板側連結部４０とされている。
天板側連結部４０の長さ、高さおよび傾斜角は、ポケット側連結部３０の長さ、高さおよび傾斜角に対応し、ポケット側連結部３０に係合して、ポケットシンク１４を天板部３２に対し保持（仮固定）することができるように設定されている。
【００２７】
また、取付け開口３４を挟んで対向する天板側連結部４０の先端部同士の間隔Ｗ３は、ポケットシンク１４の開口部分１６の中央部の幅Ｗ１より広くなるように設定されている。詳細には、取付け開口３４を挟んで対向する天板側連結部４０の先端部同士の間隔Ｗ３は、ポケットシンク１４の内方に向かって凸状に湾曲する中央部に形成されている左右のポケット側連結部３０の最も狭い間隔より、広くなるように設定されている。
【００２８】
次に、ポケットシンク１４の天板部３２への取付け作業について説明する。まず、ポケットシンク１４のフランジ面２６に接着剤を塗布する。接着剤は、図４に斜線で示されている、フランジ面２６のうちポケットシンク１４の長手方向両端側部分にのみ塗布するのが好ましいが、フランジ面２６全体に塗布しても良い。
また、接着剤を、天板部３２のフランジ面２６が当接することになる部分（天板側ポケットフランジ接着面）４２に塗布する構成でもよい。さらに、天板側ポケットフランジ接着面４２のうちポケットシンク１４の長手方向両端側部分が当接する部分のみに接着剤を塗布する構成でも良い。さらにまた、ポケットシンク１４と天板部３２の両方に接着剤を塗布する構成でも良い。
【００２９】
次いで、図８に矢印Ｂで示すように、ポケットシンク１４の開口部１６を、天板部３２の裏側から、取付け開口３４に接近させ、取付け開口３４の周縁に形成された板状の垂下部３６を、ポケットシンク１４の開口部１６の内側に差し込むことによって、ポケットシンク１４を天板部３２の裏側面に取付ける。垂下部３６をポケットシンク１４の開口部１６内に完全に差し込むと、図１０に示されているように、一部に接着剤が塗布されたフランジ面２６が天板部３２の下面（裏面）に密着する。
上述したように、天板側連結部３８の先端部同士の間隔Ｗ３は、ポケットシンク１４の開口部１６の長手方向中央部での幅（開口部１６を挟んで対向するポケット側連結部３０の間隔）Ｗ１より広くなるように設定されているので、ポケットシンク１４の開口部１６の内側に垂下部３６を差し込む時には、左右のポケットシンク側連結部３０は、幅方向外方に弾性的に押し広げられる。そして、ポケットシンク１４は、天板部３２への取付け後は、弾性により天板側連結部３８を幅方向内方に押圧し続けることになる。従って、ポケットシンク１４は、天板部３２に保持（仮固定）される。
【００３０】
所定時間この状態を維持することにより、フランジ面２６に塗布した接着剤を硬化させる。最後に、必要に応じて、ポケットシンク１４と天板部３２の接続部にシーリング剤でシールを形成して、取付け作業を終了する。
【００３１】
本発明は上記実施形態に限定されることなく、特許請求の範囲に記載された技術事項の範囲内で種々の変更又は変形が可能である。
【００３２】
上記実施形態では、両側のポケット側連結部３０が内方に向かって凸状に湾曲する形状を有する構成であった、一方のポケット側連結部が内方に向かって凸状に湾曲する形状を有する構成でもよい。
さらに、両側のポケット側連結部３０が直線形状を有し互いに平行に配置される構成であってもよい。このような構成では、天板側連結部およびポケット側連結部に形成された下方に向かって外方に傾斜する傾斜面同士の係合によって、ポケットシンクが天板部に取付けられることになる。
【図面の簡単な説明】
【００３３】
【図１】ポケットシンクの取付け位置等を示す斜視図である。
【図２】従来技術におけるポケットシンクの取付けを説明する斜視図である。
【図３】従来技術におけるポケットシンクの取付け構造を説明する断面図である。
【図４】本発明の一実施態様のポケットシンク取付け構造に用いられるポケットシンクの斜視図である。
【図５】図４のＶ−Ｖ線に沿った断面図である。
【図６】図４のＶＩ−ＶＩ線に沿って一部分を破断したポケットシンクの側面図である。
【図７】本発明の一実施態様のポケットシンク取付け構造の天板部に形成されたポケットシンク取付け部を裏返した状態の斜視図である。
【図８】本発明の一実施態様におけるポケットシンク取付け部へのポケットシンクの取付けを説明する斜視図である。
【図９】本発明の一実施態様においてポケットシンクが取付けられたポケットシンク取付け部の断面図である。
【符号の説明】
【００３４】
１４：ポケットシンク
１６：開口部
２４：上端部
２４ａ、２４ｂ：長辺部
２６：フランジ面
３０：ポケット側連結部
３２：天板部
３４：取付け開口
３４ａ、３４ｂ：長辺部
３６：垂下部
４０：天板側連結部
４２：天板側ポケットフランジ接着面
【図１】
2005188049.tif 000003
【図２】
2005188049.tif 000004
【図３】
2005188049.tif 000005
【図４】
2005188049.tif 000006
【図５】
2005188049.tif 000007
【図６】
2005188049.tif 000008
【図７】
2005188049.tif 000009
【図８】
2005188049.tif 000010
【図９】
2005188049.tif 000011